(57)【特許請求の範囲】
【請求項１】
使用者によりメニュー選択モード切換用のキー信号が入力されるか否かを判断するキー信号判断段階と；
キー信号の判断段階の判断結果、メニュー選択モード切換用のキー信号が入力された場合メインオブジェクトをテレビジョン受像機の画面上に表示し、テレビジョン受像機の画面上を移動する位置を認知してカーソルがメインオブジェクト領域内に存在するか否かを持続的に判断した後、メインオブジェクト領域内にカーソルが存在する場合メインオブジェクト領域の色相が変換されるメインオブジェクト領域内のカーソル位置判断段階と；
メインオブジェクト領域内におけるカーソル位置の判断段階のメインオブジェクトがサブオブジェクトを有する場合、テレビジョン受像機の画面からメインオブジェクトを消してサブオブジェクトを表示し、テレビジョン受像機の画面上を移動する位置を認知してカーソルがサブオブジェクト領域内に存在するか否かを持続的に判断した後、サブオブジェクト領域内にカーソルが存在する場合、サブオブジェクト領域の色相が変換されるサブオブジェクト領域内のカーソル位置の判断段階と；
メイン又はサブオブジェクト領域内のカーソル位置の判断段階でカーソルがオブジェクト領域内に存在する場合、使用者により入力されるキー信号によってカーソルが位置するオブジェクトを実行したり、又はメニュー画面モードを解除する終了段階と；から構成されることを特徴とするテレビジョン受像機のメニュー選択方法。
【請求項２】
メインオブジェクト領域内のカーソル位置の判断段階は、メニュー選択モード切換用キー信号が入力された場合、テレビジョン受像機をメニュー選択モードに切換しメインオブジェクトとカーソルのＸ、Ｙ座標を比較する第１段階と；
第１段階の遂行後カーソルがメインオブジェク領域内に存在するか否かを判断する第２段階と；
第２段階の判断結果、カーソルがメインオブジェクト領域内に存在する場合、カーソルが位置するオブジェクトを認識して、設定された色相にオブジェクト領域の色相を変換させる第３段階と；から成されることを特徴とする請求項１記載のテレビジョン受像機のメニュー選択方法。
【請求項３】
前記サブオブジェクト領域内のカーソル位置の判断段階は、メインオブジェクトがサブオブジェクト有するか否かを判断する第１段階と；
第１段階の判断結果、サブオブジェクトが存在する場合、テレビジョン受像機の画面からメインオブジェクトを消してサブオブジェクトを表示する第２段階と；
第２段階でサブオブジェクトを表示した後、サブオブジェクトとカーソルのＸ、Ｙ座標を比較する第３段階と；
第３段階の比較結果、カーソルがサブオブジェクト領域内に存在するか否かを判断する第４段階と；から成されることを特徴とする請求項１記載のテレビジョン受像機のメニュー選択方法。
【請求項４】
前記終了段階は、使用者によりクリック信号が入力されるか否かを判断する第１段階と；
第１段階の判断結果、クリック信号が入力された場合カーソルが存在するオブジェクト領域内に設定されている固有番号を認識して、そのメニューがテレビジョン受像機にて実行できるように制御命令を出力する第２段階と；から成されたことを特徴とする請求項１記載のテレビジョン受像機のメニュー選択方法。
【請求項５】
前記クリック信号の入力可否の判断段階は、入力されるクリック信号のない場合、使用者がメニュー画面モードを解除するために取消キー信号を入力したか否かを判断する第１段階と；
第１段階の判断結果、取消キー信号が入力された場合テレビジョン受像機のメニュー画面モードを解除する第２段階と；から成されたことを特徴とする請求項４記載のテレビジョン受像機のメニュー選択方法。
【請求項６】
前記テレビジョン受像機の画面は、２次元の座標として設定され、この座標系内部における特定領域を１箇所以上設定して各々画面命令に対応するオブジェクト等を指定することを特徴とする請求項１記載のテレビジョン受像機のテレビジョン受像機のメニュー選択方法。
【請求項７】
テレビジョン受像機の全体画面の大きさは、画面の大きさを各座標方向に対して１以上の値を有する数Ｎで分ける範囲内にオブジェクト等を構成する請求項６記載のテレビジョン受像機のメニュー選択方法。
【請求項８】
前記オブジェクト等は、各々固有番号が指定されカーソルがオブジェクト領域内に存在する場合、固有番号を認識してカーソルが位置した領域の機能を判断することを特徴とする請求項１から４のいずれかに記載のテレビジョン受像機のメニュー選択方法。
【発明の詳細な説明】
【０００１】
【発明の属する技術分野】
本発明は、テレビジョン受像機の画面上に表示するメニューを多様に構成して順序に構わずメニューを選択することができるテレビジョン受像機のメニュー選択方法に関するものである。
【０００２】
【従来の技術】
一般的に、従来のテレビジョン受像機におけるメニューは順序によって入力されているため一つのメニューの次にはどのようなメニューが選択されるかが決められていた。
【０００３】
例えば、テレビジョン受像機のメニュー中‘画面選択’というメニューを選択する場合、入力されたメニューの順序が‘機能選択’、‘音響選択’そして‘画面選択’の順序であるとこの順序に応じて、先ず‘機能選択’のメニューを選択した後に‘音響選択’のメニューを選択すべきであり最終的に‘画面選択’のメニューを選択することができた。
【０００４】
そして、遠隔調整装置の方向キー操作により認識される画面上の座標もＸ軸又はＹ軸にだけ変動されるようになっていた。即ち、Ｘ軸にある程度を先に動いた後にＹ軸にだけ動くことができたり、又は、Ｙ軸に先に動いた後にＸ軸に座標を動くことができるでけであった。
【０００５】
これは開始座標が既に決められ、このようなことから最も近いメニューから選択すべきであることを意味する。したがって、対角線や曲線のような距離を自由に動かし座標選択をすることができなかった。
【０００６】
このような対角線にあるメニューを選択するためにはＸ軸でもＹ軸でもいずれかの一方向に先に決められた距離程ずつ順々に動かなければならないのである。このように従来のテレビジョン受像機のメニューを選択するための接近方式は、設定されている順序とは関係なく任意に所定メニューを選択することが出来ないという問題点があった。即ち、順序を変えてメニューを選択出来なかった。
【０００７】
又、カーソル(cursor)も対角線や曲線方向には自由に動くことができないためメニューを画面上に位置させることができる範囲の制約を受ける。繰り返して話すと、メニューを対角線方向に位置させるとカーソルがＸ方向やＹ方向に順々に動かなければならないので接近し難い問題点もあった。
【０００８】
そして、従来の各メニューのデザインも直四角形などのような幾つかの特定のかたちだけで限定されていてその表現上の限界があるという問題点があった。
【０００９】
【発明が解決しようとする課題】
本発明の目的は、テレビジョン受像機の画面上における任意の座標にいろいろな形の領域として指定されたテレビジョン受像機のメニューを使用者の意図通りに並べられた順序とは関係なく選択することができてメニュー選択のためのカーソルを対角線や曲線方向にも移動させることができるテレビジョン受像機のメニュー選択方法を提供することにある。
【００１０】
【課題を解決するための手段】
前述した目的を達成するための本発明によるテレビジョン受像機のメニュー選択方法の特徴は、２次元座標に分けて任意の位置に多様な形の領域として指定されたテレビジョン受像機のメニューに対してカーソルを移動させながら座標認識を介してメニューを順序に応じて選択することでなく予め作成して置いたデータベースの座標データとカーソルの座標を比較することによっていかなるメニューが選択されているかが分かるようにした方法を提供し、これとともに予め作成して置いたデータベース内の命令関連データ中選択されたメニューに対応される命令が遂行されるようにしたことである。
【００１１】
【発明の実施の形態】
本発明によるテレビジョン受像機のメニュー構成及び選択方法の望ましい一実施形態を添付した図１乃至図４の図面を参照して詳細に説明する。
図１は、本発明が適用されたテレビジョン受像機のメニュー選択方法を具現するための装置の概略を示したブロック構成図である。図示されているように、本発明に適用されたテレビジョン受像機のメニュー選択方法を具現するための装置は、画面上にメニューを表示するテレビジョン受像機(40)と、テレビジョン受像機の画面上に表示されるメニューを選択するためのカーソル移動信号を出力するポインティングデバイス(pointing device)(20)と、ポインティングデバイス(20）の出力信号の入力を受けてテレビジョン受像機(40)の画面に表示されるメニューが実行されるようにする制御信号を出力するポインティングインタフェース(pointing interface)装置(30)から構成される。
【００１２】
そして、ポインティングインタフェース装置(30)は、テレビジョン受像機(40)の画面をＸとＹ座標として設定し、その座標に該当するメニューデータ(menu data)を有している記憶装置(33)と、ポインティングデバイス(20)の出力信号の入力を受ける受信部(31)と、受信部(31)から出力された座標と記憶装置(33)に保存されている座標を比較して比較された結果、一致する座標に保存されたデータを制御信号と共にテレビジョン受像機(40)にて出力する制御部(32)とから構成される。
【００１３】
図２は、本発明が適用されたテレビジョン受像機の画面に表示されたメニュー構成図の一実施形態であり、図３は図２に図示されたメニュー構成図において任意のメニューにだけ該当される固有番号が図示された図面である。
【００１４】
図示されているように、ピクセル(pixel)から成されたテレビジョン受像機(40)の画面を２次元的に、即ち、横と縦方向を各々ＸとＹ座標に分割設定し、メニューが受け入れられる大きさに合うＸ座標及びＹ座標の長さを決定することにおいて、この長さはテレビジョン受像機画面の大きさを各座標方向に対してＮに分けた値として定めることができる。
【００１５】
例えば、横×縦が1280×720ピクセルであるテレビジョン受像機の画面においてメニューを受け入れる画面の大きさを、横は(1280/32)=40ピクセルに、縦は(720/32)=22ピクセルとしＸ軸とＹ軸の長さとして定める。
【００１６】
ここで、32は任意の数字であり、16に分けることもできるが、このように分ける理由はメニューを受け入れる画面を構成して保存するための記憶装置の容量を減らすと共に保存された画面をテレビジョン受像機(40)に再生するのに所要される時間を節約するためである。
【００１７】
即ち、全体画面を対象にメニューを受け入れる画面を構成することより1/Nに縮少して画面を構成(10)した後、再生する時Ｎ倍に拡大することが効率の面において優れているので、記憶容量が十分に大きければＮを１にすることもできるのである。
【００１８】
このように、1/Nに縮少構成された画面(10)上に１個以上、例えば３個のメニューを表示しようとするならば‘機能選択’メニュー＝１、‘画面選択’メニュー＝２、‘音響選択’メニュー＝３のように、先ず各メニューことに固有番号を指定し、ＸとＹ座標に対応させるが(11a,12a,13a)、この固有番号はテレビジョン画面の特定位置に複数個の集合から成る領域(11,12,13)で形成される。このように、所定メニューに対応される固有番号の集合をオブジェクト(object)とし、このオブジェクトの形及び設定位置はＸ及びＹ座標との対応状態によって多様に変化させることができる。
【００１９】
又、マウスのようなポインティングデバイス(20)によって画面にカーソル(14)が現われるようになるが、このカーソル(14)もやはり小さい矢印の模様等に表すことができる。
【００２０】
詳述したようにテレビジョン受像機(40)のメニュー構成図から各メニュー即ち、各メニューに対応されるオブジェクト等に関連されたいろいろのデータ等はデータベースに予め設定されるようになるが、このデータベースに構築される内容はＸ及びＹの２次元座標、各オブジェクトの固有番号、各オブジェクトの選択に関連された事項等、そして各オブジェクトの選択によって遂行される命令の種類及び内容等のようなものである。
【００２１】
以上、説明したテレビジョン受像機(40)のメニュー構成による作用は、先にカーソル(14)が使用者のポインティングデバイス(20)調整により画面上のＸとＹ軸を自由に動いている途中、いずれの一つのオブジェクトの座標内に入るようになると、カーソルはその領域に数字、即ち、固有番号が入っているということを認識するこの過程が、特定メニューの選択される過程である。
【００２２】
選択の後、予め設定されたデータベースの内容と比較し、遂行するべきである命令や使用者によりマウスがクリックされる等ポインティングデバイス(20)を介した外部命令が入力されるようになるとその命令を遂行する。
【００２３】
このような構成要素を有している本発明が適用されたテレビジョン受像機のメニュー選択の方法を具現するための装置の動作を図４を参照とし説明すると以下の通りである。
図４は本発明が適用されたテレビジョン受像機のメニュー選択方法の具現のための順序図の一実施形態を示したものである。図示されているように本発明が適用されたテレビジョン受像機のメニュー選択方法は、使用者がテレビジョン受像機(40)をメニュー選択モードに切換させるためのキー信号を入力したか否かを判断(S410)し、判断結果キー信号が入力された場合テレビジョン受像機(40)をメニュー選択モードに切換し、メインオブジェクトとカーソルのＸ、Ｙの座標を比較(S421)して現在カーソルが位置している領域を認知するようになる。
【００２４】
この時、カーソルがメインオブジェクト領域内に存在するか否かを判断(S422)し、判断結果メインオブジェクト領域内に存在する場合、カーソルが位置したメインオブジェクト領域内に構成された固有番号を認識し、メインオブジェクトがいかなるメニューを表そうとするかを認識し、この時認識されたメインオブジェクトの領域を設定された色相に変換(S423)させる。
【００２５】
それから、色相の変換されたメインオブジェクトがサブオブジェクトを有しているか否かを判断(S431)し、判断結果サブオブジェクトが存在する場合テレビジョン受像機(40)の画面(10)からメインオブジェクトを消してサブオブジェクトを表示(S432)する。
【００２６】
一方、ポインティング受信部(31)はサブオブジェクトとカーソルのＸ、Ｙ座標を比較(S433)し、現在カーソルが位置している領域を認知するようになり、カーソルがサブオブジェクトの領域内に存在するか否かを判断(S434)し、判断結果カーソルがサブオブジェクト領域内に存在する場合カーソルが位置したオブジェクトを認識し、サブオブジェクトの領域を設定されている色相に変換(S435)させた後、クリック信号が入力されるか否かを判断(S441)する。
【００２７】
判断の結果、ポインティングデバイス(20)からクリック信号が入力される場合、ポインティング受信部(31)はカーソルが存在するオブジェクト領域内に存在する固有番号を読み込みオブジェクトがいかなるメニューに該当されるメニューであるかを認識し、実行(S442)命令をテレビジョン受像機(40)に出力することによってテレビジョン受像機(40)を制御することができる。
【００２８】
この時、サブオブジェクトが存在するか否かを判断する段階(S431)の判断結果、サブオブジェクトが存在しない場合は、メインオブジェクト領域内でクリック信号が入力されるか否かを判断する段階(S441)を遂行する。
【００２９】
又は、段階(S422)又段階(S434)の判断結果、カーソルがメインオブジェクト領域又はサブオブジェクト領域内に存在しない場合メインオブジェクトとカーソルのＸ、Ｙ座標を比較する段階(S421)又はサブオブジェクトとカーソルのＸ、Ｙ座標を比較する段階(S433)を再遂行する。
【００３０】
そして、クリック信号が入力されるか否かを判断する段階(S441)の判断結果、クリック信号が入力されない場合使用者によりメニュー画面の取消キー信号が入力されるか否かを判断(S443)し、判断結果取消キー信号が入力される場合メニュー画面モードを解除(S444)する。
【００３１】
この時、メニュー画面モードを解除するために外部から入力される取消キー信号の代りに所定時間を設定して置き、クリック信号が入力されない場合設定された時間がカウントされメニュー画面モードが解除できる。
【００３２】
【発明の効果】
上記のように、本発明によるテレビジョン受像機のメニュー構成及び選択方法によると、メニューを多様な形と位置を有するオブジェクトとして指定してポインティングデバイスの作動に応じて動くカーソルによる座標認識を介して認識しようとするオブジェクトを順序によって定義することでなく、予め構築しておいたデータベースの内容とカーソルによる座標を分析することによっていかなるオブジェクトが選択されたかが分かるようにした方法を提供し、このデータベースの内容と選択されたオブジェクトの情報を比較して同一である場合に該当命令を遂行させるようにすることによって順序とは関係なくテレビジョン受像機のメニューを選択することができる傍ら、カーソルを対角線や曲線方向にも移動させることができるテレビジョン受像機のメニュー構成及び選択方法を提供することにある。
【図面の簡単な説明】
【図１】  本発明が適用されたテレビジョン受像機のメニュー選択方法を具現するための装置の概略を示したブロック図である。
【図２】  本発明が適用されたテレビジョン受像機の画面に表示されたメニュー構成図の一実施形態を示す図である。
【図３】  図２に図示されたメニュー構成図において任意のメニューのみに該当する固有番号が図示された図である。
【図４】  本発明が適用されたテレビジョン受像機のメニュー選択方法の具現のための順序図の一実施形態を示す図である。
【符号の説明】
１０  メニュー構成のために全体画面を1/Nとした画面
１１  第１オブジェクト
１２  第２オブジェクト
１３  第３オブジェクト
１１ａ  第１オブジェクトの固有番号
１２ａ  第２オブジェクトの固有番号
１３ａ  第３オブジェクトの固有番号
１４  カーソル
２０  ポインティングデバイス
３０  ポインティングインタフェース装置
３１  受信部
３２  制御部
３３  記憶装置
４０  テレビジョン受像機
【図１】
0003659786.tif 000002
【図２】
0003659786.tif 000003
【図３】
0003659786.tif 000004
【図４】
0003659786.tif 000005